(57)【要約】【課題】、組立分解が簡単で、かつ、部品点数も少なくしてコスト低減を図ることができる単一指向性ダイナミックマイクロホンの提供。【解決手段】マイクロホンユニット１９の音響回路の一部を構成する空気室１３ａをその内部に有して先端開口部１５内にマイクロホンユニット１９の後端部１９ａが嵌合配置される略有底円筒状を呈する内筒体１２と、出力コネクタ３２が後端部２６側に装着されて内筒体１２を収容する略円筒状を呈するグリップ筐体２２とを少なくとも備え、内筒体１２の外周面１３には、その収容時にグリップ筐体２２の内周面２３と密に接する起毛長さを有する多数本の短繊維１６ａを静電植毛してなるフロック層１６を設けた。【選択図】図１
2010098643.tif 000002
【特許請求の範囲】
【請求項１】
マイクロホンユニットの音響回路の一部を構成する空気室をその内部に有して先端開口部内に前記マイクロホンユニットの後端部が嵌合配置される略有底円筒状を呈する内筒体と、
出力コネクタが後端部側に装着されて前記内筒体を収容する略円筒状を呈するグリップ筐体とを少なくとも備え、
前記内筒体の外周面には、その収容時に前記グリップ筐体の内周面と密に接する起毛長さを有する多数本の短繊維を静電植毛してなるフロック層を設けたことを特徴とする単一指向性ダイナミックマイクロホン。
【請求項２】
前記内筒体は、前記先端開口部側と底部側との少なくともいずれか一方の前記フロック層を有しない表出面と前記グリップ筐体の内周面との間に介在させた弾性導電材により、相互を電気的に導通させて前記前記グリップ筐体内に収容した請求項１に記載の単一指向性ダイナミックマイクロホン。
【発明の詳細な説明】
【技術分野】
【０００１】
本発明は、マイクロホンユニットの音響回路の一部を構成する空気室を内部に有する内筒体をグリップ筐体内に収容して形成される単一指向性ダイナミックマイクロホンに関する技術である。
【背景技術】
【０００２】
手持ち式の単一指向性ダイナミックマイクロホンにあっては、例えば下記特許文献１に開示されているように、振動雑音を低減するためにグリップ筐体内に内筒体を弾性体を介して弾性支持させた状態のもとで収容しているものがある。
【特許文献１】特開２００６−３３２１４号公報
【０００３】
この場合、グリップ筐体側に加えられる振動雑音は、内筒体との間に弾性体を介在させてあることから、内筒体側が備えるマイクロホンユニットには伝わりにくい。
【０００４】
図５は、上記特許文献１に開示されている単一指向性ダイナミックマイクロホンとほぼ同様の構造を備えている単一指向性ダイナミックマイクロホンの構造例を示す説明図であり、図６〜図８は、その組立手順を示す説明図（いずれも端面図として示す。）である。
【０００５】
これらの図によれば、単一指向性ダイナミックマイクロホン１０１の全体は、マイクロホンユニット１０９が嵌合配置される略円筒状を呈する内筒体１０２と、該内筒体１０２が収容される略円筒状を呈するグリップ筐体１１２と、マイクロホンユニット１０９を覆ってグリップ筐体１１２に取り付けられるヘッドケース１２２とを備えて形成されている。
【０００６】
これらのうち、内筒体１０２は、図６に示されているように、マイクロホンユニット１０９の音響回路の一部を構成する空気室１０２ａを内部に有しており、その先端開口部１０３内にはマイクロホンユニット１０９の後端部１０９ａが嵌合配置されている。
【０００７】
また、内筒体１０２は、その先端寄りの外表面にフロントショックマウント部材１０５がストッパー１０６介して固定配置されているほか、その後端開口部１０３内にリアショックマウント部材１０７を介して出力コネクタ１１０が固定配置されている。
【０００８】
一方、グリップ筐体１１２は、図７に示されているように、内筒体１０２を導入するための導入口１１３を先端に、後端に導出口１１４を有するコネクタ収納部１１５を後端部１１６にそれぞれ設けて形成されている。
【０００９】
また、グリップ筐体１１２は、収容した内筒体１０２が備えるフロントショックマウント部材１０５側と対面する位置に螺孔１１８が形成されており、該螺孔１１８を介して固定ねじ１１９を抜け止め用のストッパー１０６が備える通孔１０６ａに送り込むことにより内筒体１０２と一体的に組み合わせることができるようになっている。
【００１０】
このようにして内筒体１０２とグリップ筐体１１２とが組み合わされた後は、図８に示されているようにグリップ筐体１１２の後端部１１６の外周面にゴム材からなるスリーブ状のテールカバー１１７を被せる。
【００１１】
また、グリップ筐体１１２の先端部には、固定リング１２３を嵌め込んだ上で、マイクロホンユニット１０９を保護するために例えばメッシュメタルからなるヘッドケース１２２を被着することで、図５に示す単一指向性ダイナミックマイクロホン１０１が組み立てられることになる。
【００１２】
このため、グリップ筐体１１２に加えられた振動雑音は、内筒体１０２との間にフロントショックマウント部材１０５とリアショックマウント部材１０７とを介在させたことにより、内筒体１０２に嵌着配置されているマイクロホンユニット１０９には伝わりにくくすることができる。
【発明の開示】
【発明が解決しようとする課題】
【００１３】
しかし、図５に示す構造を備える単一指向性ダイナミックマイクロホン１０１は、内筒体１０２とグリップ筐体１１２とを固定ネジ１１９を介して一体化する必要があるばかりでなく、相互を分解する作業もそれだけ煩雑になる不都合があった。
【００１４】
しかも、単一指向性ダイナミックマイクロホン１０１は、その前後にフロントショックマウント部材１０５とリアショックマウント部材１０７とを介在配置しなければならず、それだけ部品点数が増えてしまうという不具合もあった。
【００１５】
本発明は、従来技術の上記課題に鑑み、組立分解が簡単で、かつ、部品点数も少なくしてコスト低減を図ることができる単一指向性ダイナミックマイクロホンを提供することに目的がある。
【課題を解決するための手段】
【００１６】
本発明は、上記目的を達成すべくなされたものであり、マイクロホンユニットの音響回路の一部を構成する空気室をその内部に有して先端開口部内に前記マイクロホンユニットの後端部が嵌合配置される略有底円筒状を呈する内筒体と、出力コネクタが後端部側に装着されて前記内筒体を収容する略円筒状を呈するグリップ筐体とを少なくとも備え、前記内筒体の外周面には、その収容時に前記グリップ筐体の内周面と密に接する起毛長さを有する多数本の短繊維を静電植毛してなるフロック層を設けたことを最も主要な特徴とする。
【００１７】
この場合、前記内筒体は、前記先端開口部側と底部側との少なくともいずれか一方の前記フロック層を有しない表出面と前記グリップ筐体の内周面との間に介在させた弾性導電材により、相互を電気的に導通させて前記前記グリップ筐体内に収容するのが好ましい。
【発明の効果】
【００１８】
本発明のうち、請求項１に係る発明によれば、内筒体をグリップ筐体内に収容した際には、内筒体のフロック層が送り込み方向とは逆方向に倒伏した抜けにくい状態のもとでグリップ筐体の内周面と接触させることができる結果、固定ねじを用いることなく両者を一体的に組み合わせて固定することができる。
【００１９】
また、フロック層は、静電植毛された振動雑音の少ない短繊維により構成されており、グリップ筐体に加えられた振動雑音が内筒体からマイクロホンユニットへと伝わるのを抑制することができるので、ショックマウント材を特に用いることなく同等の機能を発揮させることでコスト低減に有効に寄与させることができる。
【００２０】
さらに、内筒体は、捩るように回転させながら引っ張ることでフロック層を径方向に傾かせながらグリップ筐体内から容易に引き出すことができるので、組立分解も簡単に行うことができる。
【００２１】
また、請求項２に係る発明によれば、内筒体とグリップ筐体とは、弾性導電材を介して電気的に確実に導通させて配置することができるので、より優れたシールド効果を得ることができる。
【発明を実施するための最良の形態】
【００２２】
図１は、本発明の一例を示す説明図であり、図２〜図４は、その組立手順を示す説明図（いずれも端面図として示す）である。
【００２３】
これらの図によれば、単一指向性ダイナミックマイクロホン１１の全体は、マイクロホンユニット１９が嵌合配置される略有底円筒状を呈する内筒体１２と、該内筒体１２が収容される略円筒状を呈するグリップ筐体２２と、マイクロホンユニット１９を覆ってグリップ筐体２２に取り付けられるヘッドケース４２とを備えて形成されている。
【００２４】
これらのうち、例えばアルミニウム材を深絞り加工するなどして形成される内筒体１２は、図２に示されているように、マイクロホンユニット１９の音響回路の一部を構成する空気室１２ａを底部１４で仕切られた内部に有しており、その先端開口部１５内にはマイクロホンユニット１９の後端部１９ａが嵌合配置されている。
【００２５】
また、内筒体１２は、先端開口部１５側に位置する表出面１７と底部１４側に位置する表出面１８とを除く外周面１３にその収容時にグリップ筐体２２の内周面２３と密に接する起毛長さを有する多数本の短繊維（例えば経年変化の少ないポリエステル繊維等）１６ａを静電植毛してなるフロック層１６を備えている。なお、短繊維１６ａとしてポリエステル繊維を用いる場合には、耐候性をより向上させることができる。
【００２６】
一方、グリップ筐体２２は、図３に示されているように、内筒体１２を導入するための導入口２４が先端面に、図示しないコードが引き出される導出口２５を後端面に有するコネクタ収納部２７が後端部２６にそれぞれ設けられており、コネクタ収納部２７内には出力コネクタ３２が収納される。
【００２７】
この場合、例えばダイカスト製で導電性を備えてなるグリップ筐体２２は、内筒体１２が収容される内周面２３と、該内周面２３の内径よりもその内径が小径な内径のもとで出力コネクタ３２が収納されるコネクタ収納部２７と、その境界部位に形成される段差部２８とを備えており、該段差部２８と内筒体１２の底部１４側に位置する表出面１８との間にリング状の例えば導電性スポンジなどからなる弾性導電材２９が介在配置される。
【００２８】
さらに、グリップ筐体２２は、コネクタ収納部２７内に収納される出力コネクタ３２が備える雄ねじ３３の位置と対面する位置の後端部２６に形成されたドライバーを差し込むための透孔２６ａを備えている。
【００２９】
このような構造を備えるグリップ筐体２２内には、導入口２４を介して内筒体１２をその底部１４側から送り込むことで、フロック層１６が送り込み方向とは逆方向に倒伏した抜けにくい状態のもとで弾性導電材２９に底部側の表出面１８が図４に示すように当接した状態となって配置され、両者は一体化される。
【００３０】
また、グリップ筐体２２のコネクタ収納部２７内には、出力コネクタ３２を導出口２５側から送り込み、透孔２６ａから差し込まれる図示しないドライバーにより出力コネクタ３２が備える雄ねじ３３を透孔２６ａ側に引き寄せるように突出させてコネクタ収納部２７の内面に当接させることで出力コネクタ３２の図示しない接地用端子と電気的に接続させる。
【００３１】
さらに、内筒体１２の先端開口部１５側に位置する表出面１７とグリップ筐体２２の導入口２４との間には、図４に示すようにリング状の例えば導電性スポンジなどからなる弾性導電材３０が配置され、さらに固定リング４３を嵌め込んだ上で、マイクロホンユニット１９を保護するために例えばメッシュメタルからなるヘッドケース４２を被着することで、図１に示す単一指向性ダイナミックマイクロホン１１が組み立てられることになる。
【００３２】
次に、上記構成からなる本発明の作用・効果を図示例に基づいて説明すれば、図２に示すようにマイクロホンユニット１９が嵌合配置された内筒体１２は、図３に示すように段差部２８に弾性導電材２９を載置したグリップ筐体２２内にその導入口２４介して底部１４側から送り込む。
【００３３】
内筒体１２は、フロック層１６が図４に示すように送り込み方向とは逆方向に倒伏した抜けにくい状態のもとでグリップ筐体２２の内周面２３と密に接触させることができる結果、固定ねじを用いることなく両者を一体的に組み合わせて固定することができる。つまり、内筒体１２は、抜脱方向に直線的に引いても、各短繊維１６ａが倒伏して生成する脱落阻止方向での摩擦力を受けてグリップ筐体２２から容易には引き出すことができなくなる。
【００３４】
しかも、フロック層１６は、静電植毛された振動雑音の少ない短繊維１６ａにより構成されており、グリップ筐体２２に加えられた振動雑音が内筒体１２を経てマイクロホンユニット１９側へと伝わるのを効果的に抑制することができるので、ショックマウント材を特に用いることなく同等の機能を発揮させることでコスト低減に有効に寄与させることができることになる。
【００３５】
また、内筒体１２は、捩るように回転させながら引っ張ることでフロック層１６を径方向に傾かせながらグリップ筐体２２内から容易に引き出すことができるので、組立分解も簡単に行うことができる。
【００３６】
さらに、内筒体１２は、フロック層１６を有しない底部１４側の表出面１７が弾性導電材２９を介してグリップ筐体２２の段差部２８と、先端開口部１５の表出面１８が弾性導電材３０を介してグリップ筐体２２の内周面２３とそれぞれ電気的に接触させて確実な導通をとって配置することができるので、より優れたシールド効果を得ることができる。
【００３７】
以上は、本発明を図示例に基づいて説明したものであり、その具体的な実施形態はこれに限定されるものではない。例えば、内筒体１２とグリップ筐体２２とは、弾性導電材２９，３０を介在配置することなく一体的に組み合わせたり、弾性導電材２９，３０のいずれか一方のみを介在配置して一体的に組み合わせたりすることもできる。また、内筒体１２は、底部１４にもフロック層１６を設け、弾性導電材２９を介在させることなくグリップ筐体２２の段差部２８に載置させてもよい。
【図面の簡単な説明】
【００３８】
【図１】本発明の組み立て後の状態を例示する説明図。
【図２】本発明における円筒体の組立状態を示す説明図。
【図３】本発明における円筒体とグリップ筐体との配置関係を示す説明図。
【図４】本発明においてグリップ筐体内に円筒体を収容した後のヘッドケースとの配置関係を示す説明図。
【図５】従来例における組み立て後の状態を示す説明図。
【図６】従来例における円筒体とグリップ筐体との配置関係を示す説明図。
【図７】従来例における円筒体とグリップ筐体との配置関係を示す説明図。
【図８】従来例におけるグリップ筐体内に円筒体を収容した後のヘッドケースとの配置関係を示す説明図。
【符号の説明】
【００３９】
１１  単一指向性ダイナミックマイクロホン
１２  内筒体
１２ａ  空気室
１３  外周面
１４  底部
１５  先端開口部
１６  フロック層
１６ａ  短繊維
１７，１８  表出面
１９  マイクロホンユニット
１９ａ  後端部
２２  グリップ筐体
２３  内周面
２４  導入口
２５  導出口
２６  後端部
２６ａ  透孔
２７  コネクタ収納部
２８  段差部
２９，３０  弾性導電材
３２  出力コネクタ
３３  雄ねじ
４２  ヘッドケース
４３  固定リング
【図１】
2010098643.tif 000003
【図２】
2010098643.tif 000004
【図３】
2010098643.tif 000005
【図４】
2010098643.tif 000006
【図５】
2010098643.tif 000007
【図６】
2010098643.tif 000008
【図７】
2010098643.tif 000009
【図８】
2010098643.tif 000010